(57)【要約】      （修正有）【課題】画像処理装置で送信ジョブの実行を開始した際に、ユーザにとっての利便性を損なうことなく、送信ジョブに関する情報をユーザが確認できるようにする技術を提供する。【解決手段】画像処理装置は、送信ジョブの実行開始後に、送信ジョブに関する情報を表示すべきことが設定されていると判定した場合、送信ジョブの実行状況を検出しＳ９０９、検出した送信ジョブの実行状況に応じた表示制御を行う。具体的には、画像処理装置は、送信ジョブの実行が既に終了していることを検出した場合には、ジョブ履歴画面を表示部に表示しＳ９１０、送信ジョブの実行が終了していないことを検出した場合には、ユーザの選択指示に応じて、ジョブ履歴画面またはジョブ状況画面を表示部に表示するＳ９１２。【選択図】図１２
2014117884.tif 000002
【特許請求の範囲】
【請求項１】
ネットワークを介して外部装置と通信可能な画像処理装置であって、
前記外部装置に画像データを送信する送信ジョブの実行が開始されると、前記送信ジョブに関する情報を当該送信ジョブの開始後に表示すべきことが設定されているか否かを判定する判定手段と、
前記送信ジョブに関する情報を前記送信ジョブの開始後に表示すべきことが設定されていると、前記送信ジョブの実行状況を検出する検出手段と、
前記検出手段によって検出された前記実行状況に応じて、前記画像処理装置において実行中のジョブの実行状況を示すジョブ状況画面と、前記画像処理装置において実行が終了したジョブの実行履歴を示すジョブ履歴画面とのいずれかを、前記画像処理装置の表示部に表示する表示制御手段と
を備えることを特徴とする画像処理装置。
【請求項２】
前記表示制御手段は、
前記実行状況として、前記送信ジョブの実行が既に終了していることが検出された場合には、前記ジョブ履歴画面を前記表示部に表示し、
前記実行状況として、前記送信ジョブの実行が終了していないことが検出された場合には、前記ジョブ状況画面を前記表示部に表示する
ことを特徴とする請求項１に記載の画像処理装置。
【請求項３】
前記表示制御手段は、
前記実行状況として、前記送信ジョブの実行が既に終了していることが検出された場合には、前記ジョブ履歴画面を前記表示部に表示し、
前記実行状況として、前記送信ジョブの実行が終了していないことが検出された場合には、ユーザによる選択指示に応じて、前記ジョブ履歴画面と前記ジョブ状況画面とのいずれかを前記表示部に表示する
ことを特徴とする請求項１に記載の画像処理装置。
【請求項４】
前記検出手段は、
前記送信ジョブの開始後に、当該送信ジョブの実行が既に終了しているか、当該送信ジョブが実行中であるか、または、当該送信ジョブが実行の開始前の待機状態であるかを、前記実行状況として検出することを特徴とする請求項１乃至３のいずれか１項に記載の画像処理装置。
【請求項５】
前記表示制御手段は、更に、
前記送信ジョブの実行が開始されると、前記送信ジョブに関する情報を表示すべきか否かの選択を受け付けるための選択画面を前記表示部に表示し、
前記判定手段は、
前記選択画面を介した選択に従って、前記送信ジョブに関する情報を前記表示部に表示すべきことが設定されているか否かを判定する
ことを特徴とする請求項１乃至４のいずれか１項に記載の画像処理装置。
【請求項６】
複数の送信先と、各送信先に画像データを送信する際の送信方法とを、前記送信ジョブの設定として受け付けて、受け付けた設定に従って前記送信ジョブの実行を開始する開始手段を更に備え、
前記表示制御手段は、
前記送信ジョブにおける前記送信方法として、前記複数の送信先に対してファクシミリ通信のみが設定されている場合には、前記ファクシミリ通信のみに対応した画面を、前記ジョブ状況画面または前記ジョブ履歴画面として前記表示部に表示する
ことを特徴とする請求項１乃至５のいずれか１項に記載の画像処理装置。
【請求項７】
前記表示制御手段は、
前記送信ジョブにおける前記送信方法として、前記ファクシミリ通信以外の送信方法が少なくとも１つの送信先に対して設定されている場合には、前記複数の送信先に対して設定されている送信方法に共通する項目を含む画面を、前記ジョブ状況画面または前記ジョブとして前記表示部に表示する
ことを特徴とする請求項６に記載の画像処理装置。
【請求項８】
原稿の画像を読み取って画像データを生成する読取手段を更に備え、
前記送信ジョブは、前記読取手段によって生成された画像データを前記外部装置に送信するジョブである
ことを特徴とする請求項１乃至７のいずれか１項に記載の画像処理装置。
【請求項９】
ネットワークを介して外部装置と通信可能な画像処理装置の制御方法であって、
判定手段が、前記外部装置に画像データを送信する送信ジョブの実行が開始されると、前記送信ジョブに関する情報を当該送信ジョブの開始後に表示すべきことが設定されているか否かを判定する判定工程と、
検出手段が、前記送信ジョブに関する情報を前記送信ジョブの開始後に表示すべきことが設定されていると、前記送信ジョブの実行状況を検出する検出工程と、
表示制御手段が、前記検出工程で検出された前記実行状況に応じて、前記画像処理装置において実行中のジョブの実行状況を示すジョブ状況画面と、前記画像処理装置において実行が終了したジョブの実行履歴を示すジョブ履歴画面とのいずれかを、前記画像処理装置の表示部に表示する表示制御工程と
を含むことを特徴とする画像処理装置の制御方法。
【請求項１０】
請求項９に記載の画像処理装置の制御方法における各工程をコンピュータに実行させるためのプログラム。
【発明の詳細な説明】
【技術分野】
【０００１】
本発明は、送信ジョブの実行状況をユーザが確認できるようにする画像処理装置及びその制御方法、並びにプログラムに関するものである。
【背景技術】
【０００２】
従来、複合機（ＭＦＰ）等の画像処理装置は、画像ファイル等のファイルをＦＡＸ、メール等によって送信する送信サービスを提供している。このような画像処理装置は、送信サービスを提供するためのジョブ（送信ジョブ）の実行状況（例えば、ジョブの実行の成功／失敗）をユーザが確認できるようにする画面を表示する。これは、コピージョブ、プリントジョブ等の、ジョブの実行結果を出力された用紙（シート）によって確認可能なジョブとは異なり、送信ジョブでは、実行結果を示す情報を画面で表示しない限り、ユーザがその実行結果を確認できないためである。
【０００３】
一般に、ＭＦＰ等の画像処理装置は、ユーザが必要とするジョブの情報に応じて、ジョブの実行状況を示すジョブ状況画面と、ジョブの実行履歴を示すジョブ履歴画面とのいずれかを表示する機能を有する。このような画像処理装置では、例えば、実行中または実行待ち（待機中）のジョブの状態を確認したい場合には、ユーザは、ジョブの実行状況を示すジョブ状況画面を閲覧すればよい（例えば、特許文献１及び２を参照）。一方、実行が終了したジョブの実行結果を確認したい場合には、ユーザは、ジョブ履歴画面を閲覧すればよい。
【先行技術文献】
【特許文献】
【０００４】
【特許文献１】特開２０１２−３９１７９号公報
【特許文献２】特開２０００−７５９８１号公報
【発明の概要】
【発明が解決しようとする課題】
【０００５】
上述の従来技術には、以下のような問題がある。具体的には、画像処理装置への送信ジョブの投入後に、ユーザが当該送信ジョブの実行状況を確認する場合、上述のジョブ状況画面及びジョブ履歴画面のいずれを閲覧すべきかを、ユーザが適切に判断することが難しい場合がある。
【０００６】
例えば、送信ジョブの実行の開始を指示するための送信画面を介した操作後に、ジョブの実行状況を示す情報が表示されない場合には、ユーザは、いずれのタイミングで送信ジョブの実行が終了（即ち、送信が完了）したのかを判断することができない。送信ジョブの実行が終了しているタイミングでジョブ状況画面を閲覧しても、実行が終了したジョブに関する情報を当該画面で確認することはできない。また、送信ジョブが未だ実行中のタイミングでジョブ履歴画面を閲覧しても、実行が終了していないジョブに関する情報を当該画面で確認することはできない。
【０００７】
このように、ユーザが確認しようとした送信ジョブに関する情報が、表示したジョブ状況画面またはジョブ履歴画面に存在しない場合には、ユーザは、送信ジョブが正常に投入及び実行されたのかを、表示した画面から即座に確認することはできない。これにより、送信ジョブに関する情報を閲覧を可能にするために追加的な操作が必要となる可能性があり、ユーザにとって利便性が低下する結果となる。
【０００８】
本発明は、上述の問題に鑑みてなされたものである。本発明は、画像処理装置で送信ジョブの実行を開始した際に、ユーザにとっての利便性を損なうことなく、送信ジョブに関する情報をユーザが確認できるようにする技術を提供することを目的としている。
【課題を解決するための手段】
【０００９】
本発明は、例えば、画像処理装置として実現できる。本発明の一態様に係る画像処理装置は、ネットワークを介して外部装置と通信可能な画像処理装置であって、外部装置に画像データを送信する送信ジョブの実行が開始されると、送信ジョブに関する情報を当該送信ジョブの開始後に表示すべきことが設定されているか否かを判定する判定手段と、送信ジョブに関する情報を送信ジョブの開始後に表示すべきことが設定されていると、送信ジョブの実行状況を検出する検出手段と、検出手段によって検出された実行状況に応じて、画像処理装置において実行中のジョブの実行状況を示すジョブ状況画面と、画像処理装置において実行が終了したジョブの実行履歴を示すジョブ履歴画面とのいずれかを、画像処理装置の表示部に表示する表示制御手段とを備えることを特徴とする。
【発明の効果】
【００１０】
本発明によれば、画像処理装置で送信ジョブの実行を開始した際に、ユーザにとっての利便性を損なうことなく、送信ジョブに関する情報をユーザが確認できるようにする技術を提供できる。
【図面の簡単な説明】
【００１１】
【図１】本発明の一実施形態に係るネットワーク構成の一例を示す図。
【図２】本発明の一実施形態に係るＭＦＰのハードウェア構成の一例を示すブロック図。
【図３】本発明の一実施形態に係るＭＦＰの、送信ジョブの実行に関連したソフトウェア構成の一例を示すブロック図。
【図４Ａ】本発明の一実施形態に係るＭＦＰで表示されるジョブ履歴画面及びジョブ状況画面の一例を示す図。
【図４Ｂ】本発明の一実施形態に係るＭＦＰで表示されるジョブ履歴画面及びジョブ状況画面の一例を示す図。
【図５】本発明の一実施形態に係るＭＦＰで実行されるジョブに関する情報を含むジョブ管理テーブルの一例を示す図。
【図６】本発明の一実施形態に係る、送信ジョブの実行のための設定に用いる操作画面の一例を示す図
【図７】本発明の一実施形態に係るＭＦＰで指定可能な宛先を表示して、ユーザに送信先を指定させるアドレス帳画面の一例を示す図である。
【図８】図７に示すアドレス帳画面で指定された宛先に画像データを送信するＦＡＸジョブの実行を指示するために用いられるＦＡＸ実行画面の一例を示す図。
【図９】本発明の一実施形態に係る、ＦＡＸジョブまたは送信ジョブを生成した後に操作部に表示される誘導ポップアップ画面の一例を示す図。
【図１０】本発明の一実施形態に係る、送信ジョブの実行の開始後に誘導ポップアップ画面（図９）を表示させるか否かをユーザに設定させるための操作画面の一例を示す図。
【図１１】本発明の一実施形態に係る、送信ジョブの実行状況が「送信中」または「待機中」である場合に表示すべき画面を設定するための操作画面の一例を示す図。
【図１２】第１の実施例に係る、送信ジョブの実行が指示された際にＭＦＰにおいて実行される、送信ジョブに関する情報の表示制御の手順を示すフローチャート。
【図１３】第２の実施例に係る、送信ジョブの実行が指示された際にＭＦＰにおいて実行される、送信ジョブに関する情報の表示制御の手順を示すフローチャート。
【発明を実施するための形態】
【００１２】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１３】
＜ネットワーク構成＞
図１は、本発明の実施形態に係るネットワーク構成の一例を示すブロック図である。複合機（ＭＦＰ：Multi-Function Peripheral）１００は、ネットワークを介して外部装置と通信可能な画像処理装置の一例であり、オフィス等に設置される。図１では、ＭＦＰ１００は、ＬＡＮ１０４を介してＰＣと接続され、電話回線１０３を介してＦＡＸ装置１０２と接続されており、ＬＡＮ１０４または電話回線１０３を介して外部装置と通信可能である。ＭＦＰ１００は、スキャナ機能、プリンタ機能等を搭載しており、コピーサービス、メール送信等の送信サービス、ファクシミリ通信（ＦＡＸ通信）ＦＡＸ送信サービス、ＦＡＸ受信サービス、ネットプリントサービス等を提供する。
【００１４】
以下では、ＭＦＰ１００が、ファクシミリ通信以外（ＦＡＸ通信以外）の送信方法（プロトコル）で外部装置にファイル（画像データ）を送信する機能を「ＳＥＮＤ機能」、ＦＡＸ通信で外部装置にファイルを送信する機能を「ＦＡＸ機能」と称する。また、ＳＥＮＤ機能及びＦＡＸ機能を利用するジョブをそれぞれ「ＳＥＮＤジョブ」及び「ＦＡＸジョブ」と称する。なお、「ＳＥＮＤジョブ」及び「ＦＡＸジョブ」をまとめて「送信ジョブ」と称する場合がある。
【００１５】
＜画像処理装置（ＭＦＰ）の構成＞
図２は、本発明の実施形態に係るＭＦＰ１００の構成例を示すブロック図である。ＣＰＵ２００は、ＲＯＭ２０１に格納されているプログラムをＲＡＭ２０２に読み出して実行することによって、ＭＦＰ１００全体の動作を制御する。ＲＡＭ２０２は、ＣＰＵ２００のワークエリア、各種のデータの一意時記憶領域として用いられる、揮発性の記憶媒体である。操作部２０３は、液晶表示部（ＬＣＤ）と、スタートキー、テンキー等のハードキーとを備え、ユーザの操作を受け付ける。スキャナ部２０４は、原稿の画像を読み取って、光電変換によって画像データを生成する。画像処理回路２０５は、大容量の画像メモリ、画像回転回路、解像度変倍回路、ＭＨ、ＭＲ、ＭＭＲ、ＪＢＩＧ、ＪＰＥＧ等に対応した符号化／復号化回路等を備え、シェーディング、トリミング、マスキング等の各種の画像処理も実行することができる。プリンタ部２０６は、画像データに基づく画像を用紙（シート）に印刷する。
【００１６】
ハードディスク２０７は、ＳＣＳＩ、ＩＤＥ等のインタフェース（Ｉ／Ｆ）で接続されている、不揮発性の大容量記録媒体である。ネットワーク回線Ｉ／Ｆ２０８は、ＭＦＰ１００をネットワーク回線（ＬＡＮ１０４）に接続するためのインタフェース回路である。電話回線Ｉ／Ｆ２０９は、ＭＦＰ１００を電話回線に接続するためのインタフェース回路である。スキャナ部２０４、画像処理回路２０５及びプリンタ部２０６は、実際には、ＣＰＵ２００と接続されたＣＰＵバスとは別の高速ビデオバスを介して接続されており、画像データを相互に高速に転送可能である。ＭＦＰ１００は、スキャナ部２０４で原稿を読み取って得られた画像データ、またはプリンタ部２０６における印刷に用いられる画像データに対して、画像処理回路２０５で各種の画像処理を行う。
【００１７】
図３は、本実施形態に係るＭＦＰ１００における、送信ジョブの実行に関連したソフトウェア構成の一例を示す図である。図３に示す各ブロックの機能は、ＣＰＵ２００がＲＯＭ２０１に格納されている制御プログラムをＲＡＭ２０２に読み出して実行することによって、ＭＦＰ１００上で実現される。
【００１８】
ＭＦＰ１００は、ユーザインタフェース（ＵＩ）制御部３０１、ＦＡＸ制御部３０２、スキャン制御部３０３、ＳＥＮＤ制御部３０４、及びジョブ管理部３０５を、ソフトウェア構成として備えている。ＵＩ制御部３０１は、操作部２０３の動作を制御する。ＦＡＸ制御部３０２は、電話回線Ｉ／Ｆ２０９を介したＦＡＸ送受信を制御する。スキャン制御部３０３は、スキャナ部２０４を用いた画像データの読取処理を制御する。ＳＥＮＤ制御部３０４は、ネットワーク回線Ｉ／Ｆ２０８を介したファイル（画像データ）の送信を制御する。
【００１９】
ジョブ管理部３０５は、ＳＥＮＤ機能またはＦＡＸ機能を利用して処理を行う送信ジョブに関する情報を管理する。ジョブ管理部３０５は、例えば、ＦＡＸジョブ及びＳＥＮＤジョブの状態（実行状況）を、「待機中」、「送信中」、「終了」等の情報で管理する。また、ジョブ管理部３０５は、各ジョブについては、送信ジョブにおける送信先（宛先）、ジョブの開始時刻／終了時刻、どのようなジョブかを示す詳細情報も管理する。
【００２０】
＜ジョブ履歴画面及びジョブ状況画面の例＞
次に、図４Ａ及び図４Ｂを参照して、本発明の一実施形態に係るＭＦＰ１００において、ＵＩ制御部３０１によって操作部２０３に表示されるジョブ履歴画面及びジョブ状況画面の例（画面４００、４５０、４６０及び４７０）について説明する。画面４００、４５０、４６０及び４７０は、共通するＵＩ部品を含んでおり、それらは大きく分けて、以下の５つのカテゴリに分けられる。
（１）表示すべきジョブの種類を選択するためのボタン：ＦＡＸジョブ表示ボタン４０１、送信ジョブ表示ボタン４０２、受信ジョブ表示ボタン４０３、コピー／プリントジョブ表示ボタン４０４（ジョブカテゴリボタン４０１〜４０４）
（２）ジョブの情報を表示するためのボタン：ジョブ状況表示ボタン４０５、ジョブ履歴表示ボタン４０６
（３）ジョブの情報を更に詳細に表示するためのボタン：詳細情報表示ボタン４０９
（４）他のジョブの情報を表示するためのボタン：上スクロールボタン４１０、下スクロールボタン４１１
（５）表示画面を閉じるためのボタン：クローズボタン４１２
【００２１】
図４Ａの上図は、ＦＡＸジョブに関するジョブ履歴画面の一例（画面４００）を示す図である。ジョブ履歴画面４００は、既に実行が終了しているＦＡＸジョブの実行結果の一覧を表示する画面であり、ＦＡＸジョブ固有の情報を表示するための項目を含んでいる。ジョブ履歴画面４００は、ＦＡＸジョブに関するジョブ情報の表示を指示するためのＦＡＸジョブ表示ボタン４０１と、ジョブの実行履歴の表示を指示するためのボタン４０６とがユーザに操作された場合に、操作部２０３に表示される。なお、ジョブ履歴画面４００に示すボタン４０１及び４０６のように、ユーザによって操作されたボタンは反転表示される。
【００２２】
操作部２０３の表示画面（ジョブ履歴画面４００）は、ユーザの操作に応じて、以下のように変化する。
・送信ジョブ表示ボタン４０２が押下されると、ＦＡＸジョブを含む全ての送信ジョブに関する情報が表示される。
・受信ジョブ表示ボタン４０３が押下されると、受信ジョブに関する情報が表示される。
・コピー／プリントジョブ表示ボタン４０４が押下されると、コピー／プリントジョブに関する情報が表示される。
・ジョブ状況表示ボタン４０５が押下されると、ジョブカテゴリボタン４０１〜４０４で指定されたジョブのうち、実行中または待機中のジョブに関する情報が表示される。
・ジョブ履歴表示ボタン４０６が押下されると、ジョブカテゴリボタン４０１〜４０４で指定されたジョブのうち、実行が終了しているジョブに関する情報が表示される。
【００２３】
なお、説明の簡略化のため、本実施形態との関連性が低い、ボタン４０２及び４０４が押下された際の、受信ジョブ及びコピー／プリントジョブに関連した表示内容については説明を省略する。
【００２４】
ジョブ履歴画面４００において、一覧表示領域４０７には、実行が終了しているＦＡＸジョブに関する情報として、ジョブが実行された時刻、実行を指示したユーザ名、ジョブの種別、送信または受信の宛先、実行結果等の情報が表示される。一覧表示領域４０７に表示されているジョブについて、更に詳細な情報を表示させたい場合には、いずれかのジョブの選択後に詳細情報表示ボタン４０９を押下すればよい。また、上スクロールボタン４１０及び下スクロールボタン４１１は、一覧表示領域４０７に現在表示されているジョブよりも、実行時刻が前または後のジョブに関する情報をスクロール表示するために用いられる。クローズボタン４１２は、表示中の画面を非表示にするために用いられる。
【００２５】
図４Ａの下図は、ＦＡＸジョブに関するジョブ状況画面の一例（画面４５０）を示す図である。ジョブ状況画面４５０は、実行が終了していない（送信中または待機中）のＦＡＸジョブのみについて、ジョブの実行状況を示す情報を表示する画面であり、ＦＡＸジョブ固有の情報を表示するための項目を含んでいる。一覧表示領域４５７には、実行が終了していないＦＡＸジョブに関する情報として、ジョブが実行された時刻、実行を指示したユーザ名、送信先（宛先）、実行状況等の情報が表示される。
【００２６】
図４Ｂの上図は、（ＦＡＸジョブ及びＳＥＮＤジョブを含む）送信ジョブに関するジョブ履歴画面の一例（画面４６０）を示す図である。ジョブ履歴画面４６０は、終了した送信ジョブの結果を一覧表示する画面である。ジョブ履歴画面４６０では、全ての送信ジョブ（ＳＥＮＤおよびＦＡＸのジョブ）についての実行履歴を当該画面で確認することができる。一覧表示領域４６７は、全ての送信ジョブについての情報を表示できるように、全ての送信ジョブに共通する情報を表示するための項目が含まれている。例えば、ＦＡＸジョブに対応した一覧表示領域４０７とは異なり、一覧表示領域４６７には、ジョブの種別を示す項目は含まれていない。
【００２７】
図４Ｂの下図は、（ＦＡＸジョブ及びＳＥＮＤジョブを含む）送信ジョブに関するジョブ状況画面の一例（画面４７０）を示す図である。ジョブ状況画面４７０は、実行が終了していない（待機中または送信中）の送信ジョブの実行状況を示す情報を表示する画面である。ジョブ状況画面４７０では、全ての送信ジョブ（ＳＥＮＤジョブとＦＡＸジョブ）についての実行状況を当該画面で確認することができる。一覧表示領域４７７は、全ての送信ジョブについての情報を表示できるように、全ての送信ジョブに共通する情報を表示するための項目が含まれている。
【００２８】
＜ジョブ管理テーブルの例＞
図５は、ジョブ管理部３０５によって生成される、ＭＦＰ１００において実行されるジョブに関する情報を含むジョブ管理テーブルの一例を示す図である。図５では、一例として、ユーザ「Ａ００００１」が送信ジョブを利用した場合にジョブ管理部３０５が生成するジョブ管理テーブル４９０を示している。なお、図４Ｂに示すジョブ履歴画面４６０及びジョブ状況画面４７０に含まれる表示内容は、ジョブ管理テーブル４９０に含まれる情報と対応している。
【００２９】
ジョブ管理テーブル４９０には、ジョブリスト４９１に示すように、ユーザ「Ａ００００１」によって実行が指示された８つのジョブに関する情報が含まれている。項目４９２は、ジョブの種別、ジョブの状態（実行状況）、開始時刻、終了時刻等、全ての送信ジョブに共通する項目である。一方、項目４９３は、ＥＣＭ送信情報に関する項目であり、ＦＡＸ機能固有の項目である。
【００３０】
＜ＭＦＰにおける他の操作画面の例＞
図６は、ＭＦＰ１００において送信ジョブの実行のための設定に用いる操作画面の一例（５００）を示す図であり、後述する図１２のＳ９０１で操作部２０３に表示される画面の一例を示している。
【００３１】
操作画面５００において、アドレス帳ボタン５０１は、ユーザに送信先（宛先）を指定させるアドレス帳画面５５０（図７）に操作部２０３の表示を遷移させるために用いられる。ワンタッチボタン５０２は、予め登録した送信先へ簡単なボタン操作で画像データを送信することが可能な画面（図示せず）へ表示を遷移させるために用いられる。新規入力ボタン５０３は、送信先のアドレスを手動でユーザが指定する機能に関する画面（図示せず）に操作部２０３の表示を遷移させるために用いられる。マイフォルダボタン５０４は、ＭＦＰ１００にログインしているユーザ固有のフォルダに画像データを送信する機能に関する画面（図示せず）に操作部２０３の表示を遷移させるために用いられる。
【００３２】
図７は、ＭＦＰ１００において指定可能な送信先（宛先）を表示して、ユーザに送信先を指定させるアドレス帳画面の一例（５５０）を示す図である。
【００３３】
ボタン５５１は、送信ジョブ（ＦＡＸジョブ及びＳＥＮＤジョブ）で指定可能な、予め登録されている全ての送信先（宛先）を指定するために用いられる。ボタン５５１が押下されると、登録されている全ての宛先に関する情報が宛先表示領域５５５に表示される。ボタン５５２が押下されると、登録されているＦＡＸジョブ固有の宛先に関する情報が、宛先表示領域５５５に表示される。ボタン５５３が押下されると、登録されているＳＥＮＤジョブ固有の宛先（メールアドレス）に関する情報が、宛先表示領域５５５に表示される。ボタン５５４が押下されると、登録されているＳＥＮＤジョブ固有の宛先（ファイル格納先）に関する情報が、宛先表示領域５５５に表示される。
【００３４】
宛先表示領域５５５は、送信ジョブ（ＳＥＮＤジョブとＦＡＸジョブ）で指定可能な宛先に関する情報を表示し、ユーザに宛先を選択させるために用いられる。図７では、宛先表示領域５５５において、名称が「Ａ株式会社」の宛先に対応した宛先情報５７０が選択された状態（表示が反転した状態）となっていることを示している。図７では、「Ａ株式会社」について、種別が「ＦＡＸ」、宛先が「１１１１１１１１１１」であることが表示されており、チェック欄（ＣＨＥＣＫ）に、ユーザによってその宛先が選択されたことを示すチェックマークが表示されている。
【００３５】
上スクロールボタン５５６及び下スクロールボタン５５７は、宛先表示領域５５５に現在表示されている宛先情報以外の宛先情報を選択可能にするために、スクロール表示を行うために用いられる。ＯＫボタン５５８は、選択した宛先を送信ジョブで用いる宛先として設定した上で、表示中のアドレス帳画面５５０の表示を終了し、送信実行画面６００に操作部２０３の表示を遷移させるために用いられる。キャンセルボタン５５９は、選択した宛先をキャンセルした上で、表示中のアドレス帳画面５５０の表示を終了し、操作画面５００に操作部２０３の表示を遷移させるために用いられる。
【００３６】
図８は、図７に示すアドレス帳画面５５０で指定された宛先に画像データを送信するＦＡＸジョブの実行を指示するために用いられる送信実行画面の一例（６００及び６１０）を示す図である。なお、送信実行画面６００は、ＦＡＸジョブのみによる画像データの送信、送信実行画面６１０は、ＦＡＸジョブ及びＳＥＮＤジョブを含む送信ジョブによる画像データの送信をそれぞれ指示するために用いられる。
【００３７】
ＦＡＸジョブに対応した送信実行画面６００において、宛先表示領域６０１は、画像データをＦＡＸ機能で送信する際の宛先を表示する。宛先表示領域６０１に表示されている宛先情報６２０は、アドレス帳画面５５０で選択された宛先情報５７０に対応する宛先（電話番号「１１１１１１１１１１」）が、ＦＡＸジョブによる送信先として確定したことを示している。ボタン６０２は、スキャナ部２０４による原稿の画像の読み取り（スキャン）を開始して、生成した画像データを、宛先表示領域６０１に表示されている宛先に対して送信すべきことを指示するために用いられる。ボタン６０２が押下されると、ＣＰＵ２００は、電話番号「１１１１１１１１１１」が示す送信先に対して、ＦＡＸ機能で画像データの送信を行うＦＡＸジョブを生成し、生成したＦＡＸジョブを実行する。
【００３８】
また、送信ジョブに対応した送信実行画面６１０において、宛先表示領域６１１は、画像データを、ＦＡＸを含む、所定の送信方法（プロトコル）で送信する際の宛先を表示する。ただし、図８では、宛先表示領域６１１には、ＦＡＸ機能用の宛先が、宛先情報６２０として表示されている。なお、送信ジョブでは、ＦＡＸ機能のみならず、ＳＥＮＤ機能による所定の送信方法で、画像データを指定された宛先（外部装置）に送信可能である。
【００３９】
図９は、送信実行画面６００及び６１０でボタン６０２が押下され、ＭＦＰ１００がＦＡＸジョブまたは送信ジョブを生成した後に操作部２０３に表示する誘導ポップアップ画面の一例（７００）を示す図である。誘導ポップアップ画面７００は、図１２のＳ９０５において操作部２０３に表示される。
【００４０】
誘導ポップアップ画面７００の表示中に状況確認ボタン７０１が押下されると、ＣＰＵ２００は、図１２に示すフローチャートに従って、送信ジョブの実行状況に応じて、操作部２０３の表示画面を遷移させる。具体的には、ＣＰＵ２００は、ジョブ履歴画面４００、ジョブ状況画面４５０、ジョブ履歴画面４６０、及びジョブ状況画面４７０のいずれかに、操作部２０３の画面表示を遷移させる。なお、クローズボタン７０２は、そのような画面表示の遷移を行うことなく、誘導ポップアップ画面７００の表示を閉じるために用いられる。
【００４１】
図１０は、送信ジョブの実行の開始後に誘導ポップアップ画面７００（図９）を表示させるか否かをユーザに設定させるための操作画面の一例（８００）を示す図である。ボタン８０１が押下された場合、ＣＰＵ２００は、誘導ポップアップ画面７００を表示するよう、送信ジョブに関する設定を行う。一方、ボタン８０２が押下された場合、ＣＰＵ２００は、誘導ポップアップ画面７００を表示しないよう、送信ジョブに関する設定を行う。なお、操作画面８００を用いて設定された内容は、図１２のＳ９０５で用いられる。
【００４２】
図１１は、送信ジョブの実行状況が「送信中」または「待機中」である場合に表示すべき画面を設定するための操作画面の一例（８５０）である。操作画面８５０では、送信ジョブの開始後に、当該ジョブの実行状況が「送信中」または「待機中」であることが検出された場合に表示すべき画面として、ジョブ状況画面またはジョブ履歴画面をユーザに選択させる。ＣＰＵ２００は、操作画面８５０で、ボタン８５１が押下された場合、ジョブ状況画面を表示させる設定を行い、ボタン８５２が押下された場合、ジョブ履歴画面を表示させる設定を行う。なお、操作画面８５０を用いて設定された内容は、図１２のＳ９１１で用いられる。
【００４３】
＜第１の実施例＞
次に、図１２を参照して、第１の実施例に係る、送信ジョブの実行が指示された際にＭＦＰ１００において実行される、送信ジョブに関する情報の表示制御について説明する。以下では、第１の実施例として、ＦＡＸジョブの実行を指示するための送信実行画面６００を利用して、ＦＡＸジョブの実行が指示された場合の処理を説明する。なお、図１２に示す各ステップの処理は、ＣＰＵ２００がＲＯＭ２０１に格納されている制御プログラムをＲＡＭ２０２に読み出して実行することによって、ＭＦＰ１００上で実現される。また、操作部２０３の表示制御は、ＵＩ制御部３０１によって実行される。
【００４４】
まず、Ｓ９０１で、ＣＰＵ２００（ＵＩ制御部３０１）は、送信ジョブの実行のための操作画面５００を操作部２０３に表示している間に、ユーザによってアドレス帳ボタン５０１が押下されると、アドレス帳画面５５０を操作部２０３に表示する。これにより、ＣＰＵ２００は、送信ジョブにおける宛先（送信先）についてのユーザによる選択を、操作部２０３を介して受け付ける。
【００４５】
更に、Ｓ９０２で、ＣＰＵ２００は、ユーザによる送信先の選択が終了したか否かを判定し、終了したと判定した場合には処理をＳ９０３に進め、終了していないと判定した場合には処理をＳ９０１に戻す。送信先の選択が終了すると、ＣＰＵ２００は、送信実行画面６００を操作部２０３に表示する。
【００４６】
次に、Ｓ９０３で、表示中の送信実行画面６００でボタン６０２がユーザによって押下されたことを検出すると、ＣＰＵ２００（スキャン制御部３０３）は、スキャナ部２０４に原稿のスキャンを実行させ、送信用の画像データ（ファイル）を生成させる。その後、Ｓ９０４で、ＣＰＵ２００（ジョブ管理部３０５）は、生成した画像データを、Ｓ９０１で指定された送信先にＦＡＸ機能によって送信するためのＦＡＸジョブを生成してジョブ管理テーブル４９０に登録する。更に、ＣＰＵ２００（ＦＡＸ制御部３０２）は、生成したＦＡＸジョブの実行を開始することで、画像データの送信を開始する。
【００４７】
具体的には、Ｓ９０５で、ＣＰＵ２００（ＵＩ制御部３０１）は、操作画面８００（図１０）を用いて予め設定された内容に基づいて、誘導ポップアップ画面７００（図９）を操作部２０３に表示するか否かを判定する。Ｓ９０５で、ＣＰＵ２００は、誘導ポップアップ画面７００を表示すると判定した場合には処理をＳ９０９に進め、表示しないと判定した場合には処理を終了する。
【００４８】
次に、ＣＰＵ２００は、送信ジョブ（ＦＡＸジョブ）に関する情報を当該ジョブの開始後に表示すべきことが設定されているか否かを判定する。本実施例では一例として、ＣＰＵ２００は、送信ジョブに関する情報を表示すべきか否かの選択を受け付けるための選択画面を操作部２０３に表示させる。ＣＰＵ２００は更に、選択画面を介した選択に従って、送信ジョブに関する情報（ジョブ情報）を表示すべきことが設定されているか否かを判定する。これにより、ＣＰＵ２００は、
【００４９】
具体的には、Ｓ９０７で、ＣＰＵ２００は、誘導ポップアップ画面７００を操作部２０３に表示して、当該画面を介して、ＦＡＸジョブに関するジョブ情報の表示指示が行われたか否かを判定する。ここで、ＣＰＵ２００は、誘導ポップアップ画面７００において状況確認ボタン７０１がユーザによって押下された場合、ジョブ情報の表示指示が行われたと判定し、処理をＳ９０９に進める一方、それ以外の場合には処理をＳ９０８に進める。Ｓ９０８では、ＣＰＵ２００は、クローズボタン７０２が押下されたか否かを判定し、押下されたと判定した場合には処理を終了し、押下されていないと判定した場合には処理をＳ９０７に戻す。
【００５０】
このように、送信ジョブ（ＦＡＸジョブ）に関する情報を当該ジョブの実行開始後に表示すべきことが設定されている場合、ＣＰＵ２００は、当該ジョブの実行状況を検出し、検出した実行状況に応じて、ジョブ状況画面及びジョブ履歴画面の表示制御を行う。
【００５１】
具体的には、Ｓ９０９で、ＣＰＵ２００（ジョブ管理部３０５）は、Ｓ９０４で実行を開始したＦＡＸジョブの実行状況を、ジョブ管理テーブル４９０に基づいて検出する。ここで、ＣＰＵ２００は、ＦＡＸジョブの実行が既に終了しているか、ＦＡＸジョブが実行中であるか、または、ＦＡＸジョブが実行の開始前の待機状態であるかを、実行状況として検出する。ＦＡＸジョブが実行中である場合、及びＦＡＸジョブが実行の開始前の待機状態である場合には、ＦＡＸジョブの実行が終了していないことになる。
【００５２】
Ｓ９０９で、ＦＡＸジョブの実行が既に終了していることを実行状況として検出した場合（Ｓ９０９で「Ｙｅｓ」）、ＣＰＵ２００は処理をＳ９１０に進める。Ｓ９１０で、ＣＰＵ２００（ＵＩ制御部３０１）は、ＦＡＸジョブに関する情報を含むジョブ履歴画面４００を操作部２０３に表示して、処理を終了する。
【００５３】
一方、Ｓ９０９で、ＣＰＵ２００は、ＦＡＸジョブの実行が終了していないことを実行状況として検出した場合（Ｓ９０９で「Ｎｏ」）、ＣＰＵ２００は処理をＳ９１１に進める。この場合、ＣＰＵ２００（ＵＩ制御部３０１）は、ジョブ履歴画面４００ではなく、ＦＡＸジョブに関する情報を含むジョブ状況画面４５０を操作部２０３に表示すればよい。ただし、本実施例では、ＣＰＵ２００は、ユーザによる選択指示に応じて、ジョブ履歴画面４００とジョブ状況画面４５０とのいずれを表示するのかを決定する。これにより、ユーザのニーズに応じた表示制御を実現できる。
【００５４】
Ｓ９１１で、ＣＰＵ２００は、操作画面８５０（図１１）を用いて予め設定された内容に基づいて、ユーザの選択指示について判定する。Ｓ９１１で、ＣＰＵ２００は、ジョブ状況画面の表示が設定されていると判定した場合、処理をＳ９１２に進め、ＦＡＸジョブに関する情報を含むジョブ状況画面４５０を操作部２０３に表示して、処理を終了する。一方、ＣＰＵ２００は、ジョブ履歴画面の表示が設定されていると判定した場合、処理をＳ９１０に進め、ＦＡＸジョブに関する情報を含むジョブ履歴画面４００を操作部２０３に表示して、処理を終了する。
【００５５】
以上説明したように、本実施例では、ＣＰＵ２００は、送信ジョブの実行開始後に、送信ジョブに関する情報を表示すべきことが設定されていると判定した場合、送信ジョブの実行状況を検出し、検出した送信ジョブの実行状況に応じた表示制御を行う。具体的には、ＣＰＵ２００は、送信ジョブの実行が既に終了していることを検出した場合には、ジョブ履歴画面を操作部２０３に表示し、送信ジョブの実行が終了していないことを検出した場合には、ジョブ状況画面を操作部２０３に表示する。
【００５６】
このように、ユーザが送信ジョブに関する情報の表示を望む場合には、当該情報の表示に適した画面を自動的に選択して表示するようにする。本実施形態によれば、画像処理装置で送信ジョブの実行を開始した際に、ユーザにとっての利便性を損なうことなく、送信ジョブに関する情報を適切に表示して、ユーザに確認させることが可能になる。即ち、送信ジョブの実行状況をユーザが容易に確認できるようになる。
【００５７】
＜第２の実施例＞
第２の実施例では、送信ジョブの設定として、複数の送信先と、各送信先に画像データを送信する際の個別の送信方法とを受け付けて、受け付けた設定に従って送信ジョブを実行する場合について説明する。
【００５８】
ここで、ＭＦＰでは、上述のジョブ状況画面及びジョブ履歴画面は、その表示内容がジョブ特有の情報に特化した状態で表示されることがある。例えば、ＭＦＰは、ＦＡＸジョブに関する情報を表示する場合、ＦＡＸジョブに関する情報の表示のみに適合したジョブ状況画面及びジョブ履歴画面を表示する。しかし、複数の送信先に対して異なる複数の送信方法（プロトコル）で画像データを送信する際に、ジョブ状況画面またはジョブ履歴画面を表示する場合、それら複数の送信方法に対応した画面を表示する必要がある。この場合、表示される画面には、複数の送信先に対して設定されている送信方法に共通する項目を表示できるものの、特定の送信方法に特化した項目を表示することは難しく、表示可能な情報が限られることになる。
【００５９】
そこで、本実施例では、複数の送信先が設定された送信ジョブを実行する場合に、各送信先に対して設定された送信方法に応じてジョブ状況画面及びジョブ履歴画面の表示内容を制御する。これにより、設定された送信方法に適合した表示制御をすることで、ユーザにとっての利便性を更に向上させる。
【００６０】
図１３を参照して、第２の実施例に係る、送信ジョブの実行が指示された際にＭＦＰ１００において実行される、送信ジョブに関する情報の表示制御について説明する。以下では、送信実行画面６１０を利用して、ＦＡＸ機能及びＳＥＮＤ機能の両方を使用する送信ジョブの実行が指示された場合の処理を説明する。なお、図１３に示す各ステップの処理は、ＣＰＵ２００がＲＯＭ２０１に格納されている制御プログラムをＲＡＭ２０２に読み出して実行することによって、ＭＦＰ１００上で実現される。また、操作部２０３の表示制御は、ＵＩ制御部３０１によって実行される。
【００６１】
まず、Ｓ１００１〜Ｓ１００８は、第１の実施形態と基本的に同様である。ただし、本実施例では、Ｓ１００１で、ＦＡＸ機能及びＳＥＮＤ機能による、複数の送信先をユーザが選択するものとする。即ち、ＣＰＵ２００は、複数の送信先と、各送信先に画像データを送信する際の送信方法（ＦＡＸ及びＦＡＸ以外の送信プロトコル）とを、送信ジョブの設定として受け付けて、受け付けた設定に従って、Ｓ１００４で、送信ジョブの実行を開始する。ＣＰＵ２００は、複数の送信先に対して順に、設定された送信方法で画像データを送信する。
【００６２】
Ｓ１００７からＳ１００９に処理を進めた場合、ＣＰＵ２００（ジョブ管理部３０５）は、ジョブ管理テーブル４９０に基づいて、複数の送信先に対する画像データの送信方法として、ＦＡＸのみが設定されているか否かを判定する。ＣＰＵ２００は、送信方法としてＦＡＸのみが設定されていると判定した場合（Ｓ１００９で「Ｙｅｓ」）、ＦＡＸのみに対応した画面を、ジョブ状況画面またはジョブ履歴画面として操作部２０３に表示する。即ち、ＣＰＵ２００は、ＦＡＸに特化した項目を含むジョブ状況画面またはジョブ履歴画面を操作部２０３に表示する。一方、ＣＰＵ２００は、送信方法としてＦＡＸ以外の送信方法（プロトコル）が少なくとも１つの送信先に対して設定されていると判定した場合（Ｓ１００９で「Ｎｏ」）、設定されている複数の送信方法に共通する項目を含む画面を操作部２０３に表示する。即ち、ＣＰＵ２００は、設定された全ての送信方法に対応した共通の項目を含むジョブ状況画面またはジョブ履歴画面を操作部２０３に表示する。
【００６３】
Ｓ１０１０〜Ｓ１０１３の処理は、Ｓ１０１１またはＳ１０１３で、ＦＡＸに特化した項目を含むジョブ状況画面またはジョブ履歴画面を操作部２０３に表示する点を除き、Ｓ９０９〜Ｓ９１２の処理と同様である。また、Ｓ１０１４〜Ｓ１４１７の処理も、Ｓ１０１５またはＳ１０１７で、設定されている複数の送信方法に共通する項目を含むジョブ状況画面またはジョブ履歴画面を操作部２０３に表示する点を除き、Ｓ９０９〜Ｓ９１２の処理と同様である。
【００６４】
以上説明したように、本実施例では、複数の送信先が設定された送信ジョブを実行する場合に、各送信先に対して設定された送信方法に応じてジョブ状況画面及びジョブ履歴画面の表示内容を制御する。これにより、設定された送信方法に適合した表示制御をすることで、ユーザにとっての利便性を更に向上させることが可能である。
【００６５】
［その他の実施形態］
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【図１】
2014117884.tif 000003
【図２】
2014117884.tif 000004
【図３】
2014117884.tif 000005
【図４Ａ】
2014117884.tif 000006
【図４Ｂ】
2014117884.tif 000007
【図５】
2014117884.tif 000008
【図６】
2014117884.tif 000009
【図７】
2014117884.tif 000010
【図８】
2014117884.tif 000011
【図９】
2014117884.tif 000012
【図１０】
2014117884.tif 000013
【図１１】
2014117884.tif 000014
【図１２】
2014117884.tif 000015
【図１３】
2014117884.tif 000016